(57)【要約】【課題】柄をどのような方向に移動させる作業を実施する場合でも、柄の握り易さを損なうことがない手道具を提供する。【解決手段】固定部２は、その一端に鎌刃等の道具部５を備える。可動部３は既定の握り方向を有する握り部３１を備える。接続部４は、固定部２と可動部３とを握り部３１の握り方向を固定部２に対して変更可能に連結する。例えば、握り方向を、道具部５の動作面と平行な軸周りに変更できる構成を採用することができる。また、接続部４は、手道具１０の使用時に、固定部２と可動部３とを固定する機能も有する。【選択図】図１
2015208839.tif 000002
【特許請求の範囲】
【請求項１】
一端に道具部を備える固定部と、
既定の握り方向を有する握り部を備える可動部と、
前記固定部と前記可動部とを、前記握り部の握り方向を前記固定部に対して変更可能に連結するとともに、使用時に前記固定部と前記可動部とを固定する接続部と
を備える手道具。
【請求項２】
前記握り部の握り方向が、前記道具部の動作面と平行な軸周り、又は前記動作面と特定の角度で交差する軸周りに変更可能である、請求項１記載の手道具。
【請求項３】
前記可動部と前記道具部の動作面とのなす角が変更可能である、請求項１又は請求項２記載の手道具。
【発明の詳細な説明】
【技術分野】
【０００１】
本発明は、鎌のような手道具に関する。
【背景技術】
【０００２】
従来、鎌や草削り具のように片手で握った柄を手前に引く動作を伴って使用する手道具には、円柱状や楕円柱状の柄が採用されている。鎌刃等の道具部は、当該柄の先端に取り付けられており、使用者は柄の他端の近傍を握って手道具を使用する。鎌の場合、道具部は板状材により構成され、柄への取付部分である基端部と、当該基端部と直交する方向に延出された鎌刃とが一体に形成された、平面視において略Ｌ字状の外形を有している。基端部は、例えば、柄の先端に設けられた嵌入溝に嵌入された状態で固定される。その固定には、例えば、基端部の表面（板面）に垂直な方向で、柄と基端部とを貫通する目釘等の固定ピンが使用される。楕円柱状の柄を採用する場合は、基端部と柄との接触面積が大きくなり、かつ鎌刃部にねじり等の加工が不要となるように、柄の断面の長軸方向が鎌刃の動作面と平行に配置されるとともに、長軸方向に沿って上述の嵌入溝が形成されている。
【０００３】
このような手道具において、作業性を向上させる観点で、柄の形状について様々な提案がなされている。例えば、特許文献１は、柄の握り部の先端側に指を掛けるための突出部を設けた柄を開示している。また、特許文献２は、柄の握り部の後端側に使用者の手の小指部分全体を支受するための突出部を設けた柄を開示している。
【０００４】
一方、楕円柱状の柄では、短軸方向が持ち手の親指の付け根に接触する場合よりも、長軸方向が持ち手の親指の付け根に接触する場合の方が握りやすい。これは、短軸方向が持ち手の親指の付け根に接触する場合、親指と人差し指の間隔が、自然な姿勢（軽くこぶしを握った姿勢）にあるときの親指と人差し指の間隔よりも拡がってしまうことに起因する。また、鎌のように柄を水平方向に手前に引く作業は、柄を上方から握る（手のひらが下方を向く）方が作業性がよい。しかしながら、鎌刃の動作面と柄の長軸方向とが平行である場合、柄を上方から握ると、柄の短軸方向が持ち手の親指の付け根に接触することになり握りにくい状態になる。この対策として、本願発明者は、特許文献３において、柄の長軸方向を鎌刃の動作面と直交する方向に向けた構成を提案している。
【先行技術文献】
【特許文献】
【０００５】
【特許文献１】特開２０００−９４３６５号公報
【特許文献２】実用新案登録第３１２６６２６号公報
【特許文献３】実用新案登録第３１８９２７７号公報
【発明の概要】
【発明が解決しようとする課題】
【０００６】
特許文献１や特許文献２が開示する技術では、握り部に凹凸を設ける等の加工が必須である。また、柄の握り部が、特定の握り方向において握り易い構造になっているため、当該握り方向が、ある作業では握り易い握り方向であっても、他の作業では握り難い握り方向になることもある。また、特許文献３が開示する構成でも、握り易い握り方向が特定の方向に固定されているため、このような問題を解決することはできない。
【０００７】
本発明はこのような従来技術の課題を鑑みてなされたものであって、柄をどのような方向に移動させる作業を実施する場合でも、柄の握り易さを損なうことがない手道具を提供することを目的とする。
【課題を解決するための手段】
【０００８】
上述の目的を達成するために、本発明は以下の技術的手段を採用している。すなわち、本発明に係る手道具は、固定部、可動部及び接続部を備える。固定部は、その一端に道具部を備える。可動部は既定の握り方向を有する握り部を備える。ここで、既定の握り方向とは、使用者が握り易い方向を意味する。すなわち、可動部の握り部には、握り易さが形状に依存する方向性が存在しており、使用者が任意の方向から握り部を握ることは可能であるがその中でも特に握り易い方向が既定の握り方向になる。接続部は、固定部と可動部とを、握り部の握り方向を固定部に対して変更可能に連結する。また、接続部は、手道具の使用時には、固定部と可動部とを固定する機能も有している。
【０００９】
この手道具によれば、握り部の握り方向を適宜調整することができる。そのため、どのような作業を実施する場合でも、柄の握り易さを損なうことがない。
【００１０】
この手道具において、握り部の握り方向が、道具部の動作面と平行な軸周り、又は動作面と特定の角度で交差する軸周りに変更可能である構成を採用することができる。また、可動部と道具部の動作面とのなす角が変更可能である構成を採用することもできる。
【発明の効果】
【００１１】
本発明によれば、どのような作業を実施する場合でも、柄の握り易さを損なうことがなく、柄の握り易さに起因する作業性の低下を抑制することができる。
【図面の簡単な説明】
【００１２】
【図１】本発明の一実施形態における鎌の構成を示す斜視図
【図２】本発明の一実施形態における鎌の構成を示す分解斜視図
【図３】本発明の一実施形態における鎌の変形例を示す斜視図
【図４】本発明の一実施形態における鎌の変形例を示す要部拡大図
【図５】本発明の一実施形態における鎌の他の変形例を示す斜視図
【図６】本発明の一実施形態における鎌の他の変形例を示す要部断面図
【図７】本発明の一実施形態における他の鎌を示す斜視図
【図８】本発明の一実施形態における他の鎌を示す要部拡大分解側面図
【図９】本発明の一実施形態における他の鎌の変形例を示す側面図
【発明を実施するための形態】
【００１３】
以下、本発明の実施形態について、図面を参照しながらより詳細に説明する。以下では、手道具である鎌として本発明を具体化する。
【００１４】
図１は本実施形態における鎌１０の全体構成を示す斜視図である。また、図２は本実施形態における鎌１０を示す分解斜視図である。図１に示すように、鎌１０は柄１及び鎌刃部５を備える。図２に示すように、鎌刃部５は平面視において略Ｌ字状の板状材により構成されている。鎌刃部５は、柄１への取付部分である基端部５１と、当該基端部５１と直交する方向に延出され、基端部５１側の一辺に刃を有する鎌刃５２とが一体に形成されている。
【００１５】
柄１は、固定部２、可動部３及び接続部４を備える。特に限定されないが、本実施形態では、固定部２及び可動部３は、いずれも楕円柱状の棒体により構成されている。棒体の材質は特に限定されない。木製や金属製の棒体を使用することができる。
【００１６】
鎌刃部５は、固定部２の一端に固定される。図１及び図２に示すように、固定部２の一端側には、鎌刃部５の基端部５１が挿入される嵌入溝２１が設けられている。嵌入溝２１は、固定部２の断面に現れる楕円の長軸方向（以下、単に、長軸方向ともいう。）に沿って設けられている。基端部５１及び固定部２には、鎌刃５２を含む面と垂直な方向に沿って、貫通孔５３及び貫通孔２２が設けられている。貫通孔５３と貫通孔２２とは、基端部５１が嵌入溝２１に挿入された状態で互いに重なる位置に形成されている。基端部５１が嵌入溝２１に挿入された状態で貫通孔５３及び貫通孔２２に固定ピン２３を挿入することで、鎌刃部５は固定部２に固定される。なお、固定部２の他端側には、後述する手回しネジが螺合するネジ穴２４が設けられている。
【００１７】
可動部３は、固定部２の他端側に連結される。上述のように、可動部３は楕円柱状の外形を有しているため、断面に現れる楕円の短軸方向（以下、単に、短軸方向ともいう。）が持ち手の親指の付け根に接触する場合よりも、長軸方向が持ち手の親指の付け根に接触する場合の方が使用者は握り易い。したがって、本構成では、長軸方向が持ち手の親指の付け根に接触する方向が可動部３の形状に依存する既定の握り方向になる。なお、この例では、可動部３は軸方向の全体にわたって同一の形状を有しているため、可動部３の任意の位置が握り部３１として機能する。
【００１８】
図２に示すように、可動部３は軸方向に沿って貫通する貫通孔３２を備える。当該貫通孔３２には、接続部を構成する手回しネジ４のロッド部４１が挿入される。手回しネジ４は、少なくとも先端部４１ａにねじ山（図２では記載を省略している。）が形成されたロッド部４１とロッド部４１の基端部に接続されたノブ部４２とを備える。使用者は、ノブ部４２を使用してロッド部４１を軸心周りに回転させることで、手回しネジ４の締緩を実現することができる。ロッド部４１は、可動部３の長さよりも長く、かつ、ロッド部４１の先端が固定部２のネジ穴２４に螺合したときに、固定部２とノブ部４２との間で可動部３を挟持できる長さに設計されている。
【００１９】
以上の構成によれば、使用者は、手回しネジ４を緩めた状態で可動部３をロッド部４１周りに任意に回転させることができる。また、握り部３１の既定の握り方向を所望の方向に合わせた状態で、ノブ部４２を使用して手回しネジ４を締め付けることで、可動部３を固定部２に対して固定することができる。すなわち、握り部３１の握り方向を適宜調整することができる。そのため、地面に生えた草に限らず、斜面に生えた草や、垂直面に成長した蔦を伐採する等の任意の作業を実施する場合でも、使用者が使いやすいと感じる握り部の握り方向を実現できる。したがって、どのような作業を実施する場合でも、柄の握り易さを損なうことがない。
【００２０】
なお、固定部２と可動部３との接触面には、互いに嵌合する凹凸を設けてもよい。例えば、当該凹凸は、固定部２及び可動部３において、楕円柱の中心軸から放射状に配置することができる。これにより、手回しネジ４を締め付けたときに、固定部２と可動部３をより確実に固定することが可能になる。
【００２１】
また、上述の例では、ロッド部４１の基端部がノブ部４２に固定された例を示したが、ロッド部の基端部は固定部２に固定されてもよい。この場合、ノブ部は、ロッド部４１の先端に設けられたねじ山と螺合する袋ナット等により構成することができる。この構成であっても、使用者は、ノブ部を緩めた状態で可動部３をロッド部周りに任意に回転させることができる。また、握り部３１の既定の握り方向を所望の方向に合わせた状態で、ノブ部を締め付けることで、可動部３を固定部２に対して固定することができる。
【００２２】
さらに、可動部３の固定方法は手回しネジ４と固定部２との間で挟持する構成に限らない。例えば、可動部３の短軸方向に沿って、貫通孔３２に到達するネジ穴を設け、当該ネジ穴に螺合する手回しネジを備える構成を採用することもできる。この構成では、使用者は、手回しネジを緩めた状態で可動部３をロッド部４１周りに任意に回転させることができる。また、握り部３１の既定の握り方向を所望の方向に合わせた状態で、手回しネジを締め付けて手回しネジをロッド部４１に当接させることで、可動部３を固定部２に対して固定することができる。
【００２３】
固定部２と可動部３とを連結する接続部４の構造は上述の例に限定されない。図３は本実施形態における他の鎌２０の全体構成を示す斜視図である。また、図４は、鎌２０の要部拡大図である。
【００２４】
図３に示すように、鎌２０は柄６及び鎌刃部７を備える。鎌刃部７は、円柱状の軸部７１と、軸部７１の一端に設けられた板状の鎌刃７２とを備える。鎌刃７２は、軸部７１の一端から、円柱の軸心と直交する方向に延びる状態で配置されており、鎌刃７２の軸部７１側の一辺に刃が設けられている。軸部７１と鎌刃７２は一体の部材として構成することができる。あるいは、軸部７１と鎌刃７２とを別体で構成し、軸部７１の一端に鎌刃７２を固定する構成であってもよい。なお、この鎌２０では、軸部７１が固定部として機能する。
【００２５】
柄６は、楕円柱状の棒体により構成されており、その一端に接続部８を備える。接続部８は、図３及び図４に示すように、柄６の一端に設けられた、鎌刃部７の軸部７１に外嵌する円筒状部６２を備える。円筒状部６２の開放端は、周方向に間隔をおいて形成されたスリット６４により分割された複数の爪部６５を備えており、コレットとして機能する。また、接続部８は、当該爪部６５の根元の外周に設けられたねじ山６３に螺合する締付リング８１を備える。締付リング８１は、円筒状部６２に外嵌するコレットナットであり、ねじ山６３に締付リング８１を締め付けることで円筒状部６２の内部に収容した鎌刃部７の軸部７１を柄６に固定することができる。なお、この鎌２０では、柄６が可動部として機能する。また、図１及び図２に示した例と同様に、柄６の長軸方向が持ち手の親指の付け根に接触する方向が可動部の形状に依存する既定の握り方向になる。また、柄６は、後述する手回しネジ６７の部分を除いて、軸方向の全体にわたって同一の形状を有している。そのため、手回しネジ６７の部分を除く柄６の任意の位置が握り部６１として機能する。
【００２６】
以上の構成によれば、使用者は、締め付けリング８１を緩めた状態で可動部である柄６を固定部である軸部７１の周りに任意に回転させることができる。また、握り部６１の既定の握り方向を所望の方向に合わせた状態で、締め付けリング８１を締め付けることで、軸部７１を柄６に対して固定することができる。したがって、どのような作業を実施する場合でも使用者が使いやすいと感じる握り部の握り方向を実現でき、柄の握り易さを損なうことがない。
【００２７】
なお、この例では、鎌刃部７を柄６から容易に離脱することができる。そのため、この例では、柄６の他端部に鎌刃部７の鎌刃７２を収容して保持する鎌刃収容部６６を設けている。鎌刃収容部６６は、柄６の軸方向に沿って設けられた断面矩形状の空間であり、柄６の他端側に開放端を有する。この例では、柄６の断面に現れる矩形空間の長手方向が柄６の長軸方向に沿って配置されている。また、柄６には、柄６の短軸方向に沿って、鎌刃収容部６６まで貫通するネジ穴が形成されており、当該ネジ穴に螺合する手回しネジ６７が設けられている。鎌刃収容部６６に鎌刃部７の鎌刃７２を収容した状態で手回しネジ６７を締め付けると、手回しネジ６７と鎌刃収容部６６の内壁との間に鎌刃部７が挟持される。その結果、鎌刃部７（鎌刃７２）は鎌刃収容部６６に保持される。
【００２８】
特に限定されないが、柄６は、鎌刃収容部６６に収容された鎌刃部７の鎌刃７２の一部が露出するスリット６８を備えてもよい。これにより、糸やテグス等をスリット６８を介して鎌刃７２に当接させることができるものであれば、鎌刃部７が鎌刃収容部６６に収容された状態であっても切断することができる。
【００２９】
また、この例では、鎌刃部７を柄６から容易に離脱することができるため、鎌刃（鎌刃部７）の交換（新品鎌刃への交換、左利き用鎌刃への交換、稲刈り鎌等の他種類の鎌刃への交換）や、鎌刃に代えて他の種類の道具部を装着する置換等を容易に実現することができる。
【００３０】
図５は本実施形態におけるさらに他の鎌３０の全体構成を示す斜視図である。また、図６は、鎌３０の要部断面図である。
【００３１】
図５に示すように、鎌３０は柄９及び鎌刃部１１を備える。鎌刃部１１は、円柱状の軸部１１１と、軸部１１１の一端に設けられた板状の鎌刃１１２とを備える。図６に示すように、軸部１１１は、柄９との接続部として、他部に比べて径の大きい断面円形の接続端１１３を備える。接続端１１３には、周方向に溝部１１４が形成されている。
【００３２】
鎌刃１１２は、軸部１１１の一端から、円柱の軸心と直交する方向に延びる状態で配置されており、鎌刃１１２の軸部１１１側の一辺に刃が設けられている。軸部１１１と鎌刃１１２は一体の部材として構成することができる。あるいは、軸部１１１と鎌刃１１２とを別体で構成し、軸部１１１の一端に鎌刃１１２を固定する構成であってもよい。なお、この鎌３０では、軸部１１１が固定部として機能する。
【００３３】
柄９は、楕円柱状の棒体により構成されており、その一端に接続部１２を備える。接続部１２は、図６に示すように、柄９の一端に設けられた、内部に断面円形の空間を有し、接続端１１３に外嵌する円筒状部９２を備える。特に限定されないが、円筒状部９２の開放端は、接続端１１３の嵌入を容易にするために、外壁側が内壁側に比べて突出するテーパ形状になっている。また、接続部１２は、柄９の短軸方向に沿って前記円筒状部９２の内部まで貫通するネジ穴９３に螺合する手回しネジ９４を備える。なお、この鎌３０では、柄９が可動部として機能する。また、図１及び図２に示した例と同様に、柄９の長軸方向が持ち手の親指の付け根に接触する方向が可動部の形状に依存する既定の握り方向になる。また、柄９は軸方向の全体にわたって同一の形状を有しているため、柄９の任意の位置が握り部９１として機能する。
【００３４】
円筒状部９２に軸部１１１の接続端１１３を収容した状態で手回しネジ９４を締め付けると、接続端１１３の溝部１１４に手回しネジ９４の軸が進入し、手回しネジ９４と円筒状部９２の内壁との間に鎌刃部１１が挟持される。その結果、鎌刃部１１（接続端１１３）は柄９に保持される。
【００３５】
以上の構成によれば、使用者は、手回しネジ９４を緩めた状態で可動部である柄９を固定部である軸部１１１の周りに任意に回転させることができる。また、握り部９１の既定の握り方向を所望の方向に合わせた状態で、手回しネジ９４を締め付けることで、軸部１１１を柄９に対して固定することができる。したがって、どのような作業を実施する場合でも使用者が使いやすいと感じる握り部の握り方向を実現でき、柄の握り易さを損なうことがない。
【００３６】
また、図６に示すように、この例では、鎌刃部１１を柄９から容易に離脱することができる。そのため、この例では、柄９の内部に鎌刃部１１の鎌刃１１２を収容して保持する鎌刃収容部９６を設けている。鎌刃収容部９６は、柄９の軸方向に沿って設けられた断面矩形状の空間であり、柄９の一端側（円筒状部９２側）に開放端を有する。この例では、柄９の断面に現れる矩形空間の長手方向が柄９の長軸方向に沿って配置されている。鎌刃収容部９６に鎌刃部１１の鎌刃１１２を収容した状態で手回しネジ９４を締め付けると、手回しネジ９４と鎌刃収容部９６の内壁との間に鎌刃部１１が挟持される。その結果、鎌刃部１１は鎌刃収容部９６に保持される。
【００３７】
なお、特に限定されないが、柄９は、鎌刃収容部９６に収容された鎌刃部１１の鎌刃１１２の一部が露出するスリット９７を備えてもよい。これにより、糸やテグス等をスリット９７を介して鎌刃１１２に当接させることができるものであれば、鎌刃部１１が鎌刃収容部９６に収容された状態であっても切断することができる。
【００３８】
また、この例では、鎌刃部１１を柄９から容易に離脱することができるため、鎌刃（鎌刃部１１）の交換（新品鎌刃への交換、左利き用鎌刃への交換、稲刈り鎌等の他種類の鎌刃への交換）や、鎌刃に代えて他の種類の道具部を装着する置換等を容易に実現することができる。
【００３９】
以上では、可動部の握り部の握り方向が、鎌刃の動作面（鎌刃を含む面）と平行な軸周りに変更可能である構成について説明した。しかしながら、柄が鎌刃の動作面と特定の角度で交差する状態に配置され、可動部の握り部の握り方向が鎌刃の動作面と特定の角度で交差する軸周りに変更可能である構成を採用することもできる。また、可動部と鎌刃の動作面とのなす角が変更可能である構成を採用することもできる。
【００４０】
図７は、可動部と鎌刃の動作面とのなす角が変更可能である鎌４０の全体構成を示す斜視図である。また、図８は、鎌４０の要部を拡大して示した分解側面図である。
【００４１】
図７及び図８に示すように、鎌４０は柄１３及び鎌刃部１４を備える。鎌刃部１４は、図１及び図２に示す鎌刃部５と同様に平面視において略Ｌ字状の板状材により構成されている。鎌刃部１４は、柄１３への取付部分である基端部１４１と、当該基端部１４１と直交する方向に延出され、基端部１４１側の一辺に刃を有する鎌刃１４２とが一体に形成されている。
【００４２】
柄１３は、固定部１５、可動部１６及び接続部１７を備える。特に限定されないが、本実施形態では、固定部１５及び可動部１６は、いずれも楕円柱状の棒体により構成されている。棒体の材質は特に限定されない。木製や金属製の棒体を使用することができる。
【００４３】
固定部１５の一端に鎌刃部１４が固定される。図７に示すように、固定部１５の一端側には、鎌刃部１４の基端部１４１が挿入される嵌入溝１５１が設けられている。嵌入溝１５１は、固定部１５の長軸方向に沿って設けられている。図１及び図２に示す例と同様に、基端部１４１及び固定部１５には、鎌刃１４２を含む面と垂直な方向に沿って、貫通孔が設けられている。両貫通孔は、基端部１４１が嵌入溝１５１に挿入された状態で互いに重なる位置に形成されている。基端部１４１が嵌入溝１５１に挿入された状態で両貫通孔に固定ピン１５３を挿入することで、鎌刃部１４は固定部１５に固定される。
【００４４】
固定部１５の他端側には、鎌刃１４２の動作面（鎌刃１４２を含む面）に垂直な方向に突出する突出片１５４が設けられている。突出片１５４は、固定部１５の長軸方向の両側部にそれぞれ設けられている。特に限定されないが、本実施形態では、各突出片１５４の突出量は、可動部１６の断面に現れる楕円の長径と同程度、あるいは、長径よりもわずかに大きくなっている。各突出片１５４は所定の間隔をおいて配置されている。ここでは、可動部１６の断面に現れる楕円の短径よりもわずかに広い間隔になっている。また、突出片１５４の先端は側面視において円弧状になっている。
【００４５】
一方、可動部１６の一端には、各突出片１５４の間の隙間に挿入される連結部１６２が設けられている。連結部１６２は、可動部１６の長軸方向の全体及び可動部１６の短軸方向の全体にわたって設けられており、図７及び図８に示すように、直方体の先端側の面に、短軸方向に軸心を有する半円柱が接続された形状を有している。
【００４６】
突出片１５４には、固定部１５の長軸方向に沿ってネジ穴１５５が設けられている。また、連結部１６２には、可動部１６の短軸方向に沿って貫通孔１６３が設けられている。ネジ穴１５５と貫通孔１６３とは、連結部１６２が各突出片１５４との間の隙間に挿入された状態で互いに重なる位置に形成されている。連結部１６２が各突出片１５４の間に挿入された状態でネジ穴１５５及び貫通孔１６３には、ネジ穴１５５に螺合する手回しネジ１７１が挿入される。なお、突出部１５４、連結部１６２及び手回しネジ１７１が接続部１７を構成している。
【００４７】
上述のように、可動部１６は楕円柱状の外形を有しているため、可動部１６の長軸方向が持ち手の親指の付け根に接触する方向が可動部の形状に依存する既定の握り方向になる。また、可動部１６は軸方向の全体にわたって同一の形状を有しているため、可動部１６の任意の位置が握り部１６１として機能する。
【００４８】
以上の構成によれば、使用者は、手回しネジ１７１を緩めた状態で可動部１６と固定部１５との間のなす角を任意に変更させることができる。また、握り部１６１の既定の握り方向を所望の方向に合わせた状態で、手回しネジ１７１を締め付けることで、可動部１６を固定部１５に対して固定することができる。すなわち、握り部１６１の握り方向を適宜調整することができる。そのため、地面に生えた草に限らず、斜面に生えた草や、垂直面に成長した蔦を伐採する等の任意の作業を実施する場合でも、使用者が使いやすいと感じる握り部の握り方向を実現できる。したがって、どのような作業を実施する場合でも、柄の握り易さを損なうことがない。なお、可動部１６が固定される場合の固定部１５と可動部１６とのなす角の範囲は特に限定されない。例えば、なす角が鋭角となる状態で可動部１６が固定されてもよく、なす角が鈍角となる状態で可動部１６が固定されてもよい。さらには、可動部１６の遊動端側が固定部１５に対して鎌刃部１４と逆方向に向けられた状態（一直線状になる状態）で固定されてもよい。これにより、鎌４０を長柄の鎌として使用することも可能になる。
【００４９】
また、以上の構成において、可動部１６の固定を安定化させる観点では、可動部１６の遊動端と、固定部１５の鎌刃部１４側の端部とを連結する連結具を設けることもできる。図９は、このような連結具の一例を示す図である。
【００５０】
図９の例では、連結具１８は、固定部１５側の連結片１８１、可動部１６側の連結片１８５を備える。連結片１８１は長尺状の板状部材により構成され、その厚さ方向に複数の貫通孔１８２を備える。特に限定されないが、ここでは、貫通孔１８２は、連結片１８１の長さ方向に沿って等間隔で配置されている。固定部１５の鎌刃部１４側の端部の稼働部１６側には、固定部１５の長軸方向と平行に固定ピン１８３が配置されており、連結片１８１の一端に設けられた貫通孔が固定ピン１８３周りに回転可能に軸支されている。なお、固定部１５の鎌刃部１４側の端部の稼働部１６側には連結片１８１を収容する収容溝が設けられている。当該収容溝は、固定部１５の鎌刃部１４側から接続部１７側を結ぶ線（例えば、固定部１５の軸方向と平行な線）に沿って設けられる。例えば、固定部１５の長軸方向の中央部に、固定部１５の短軸方向に沿って収容溝を設けることができる。
【００５１】
以上の構成により、連結片１８１は、固定ピン１８３周りに、収容溝内と収容溝外とにわたって移動可能になる。なお、図９では、固定部１５の収容溝に収容された状態の連結片１８１を点線により併記している。
【００５２】
同様に、連結片１８５は長尺状の板状部材により構成され、その厚さ方向に複数の貫通孔１８６を備える。特に限定されないが、ここでは、貫通孔１８６は、連結片１８５の長さ方向に沿って等間隔で配置されている。可動部１６の遊動端側の端部の固定部１５側には、可動部１６の短軸方向と平行に固定ピン１８７が配置されており、連結片１８５の一端に設けられた貫通孔が固定ピン１８７周りに回転可能に軸支されている。なお、可動部１６の遊動端側の端部の固定部１５側には連結片１８５を収容する収容溝が設けられている。当該収容溝は、可動部１６の遊動端側から接続部１７側を結ぶ線（例えば、可動部１６の軸方向と平行な線）に沿って設けられる。例えば、可動部１６の短軸方向の中央部に、可動部１６の長軸方向に沿って収容溝を設けることができる。
【００５３】
以上の構成により、連結片１８５は、固定ピン１８７周りに、収容溝内と収容溝外とにわたって移動可能になる。なお、図９では、可動部１６の収容溝に収容された状態の連結片１８５を点線により併記している。
【００５４】
連結具１８を使用する場合、固定ピン１８３及び固定ピン１８７と平行な方向から見て連結片１８１と連結片１８５とが一直線状に重なり合い、かつ連結片１８１の貫通孔１８２と連結片１８５の貫通孔１８６とが重なり合う状態で、重なり合った任意の貫通孔１８２及び貫通孔１８６に、手回しネジ１９１のロッド部１９２を挿入する。そして、手回しネジ１９１のロッド部１９２に形成されたねじ山と螺合するナット１９３を締め付けることで、手回しネジ１９１とナット１９３により、連結片１８１及び連結片１８５を挟持する。
【００５５】
以上の構成によれば、固定部１５に対する可動部１６の固定を安定化させることができる。なお、図示を省略しているが、収容溝に収容された連結片１８１、連結片１８５が、不要なときに収容溝から飛び出すことがないように、連結片１８１、連結片１８５を収容溝に収容した状態で保持するストッパを適宜設けることができる。
【００５６】
なお、接続部１７の構成は、上述の構成に限定されるものではなく、固定部１５と可動部１６とを、両者のなす角を変更可能に連結するとともに、使用時に固定部１５と可動部１６とを固定することが可能であれば、公知の任意の構成を採用することができる。
【００５７】
また、図７及び図８に示す例では、可動部１６をまっすぐな棒体としたが、可動部として他の形状を採用することもできる。例えば、固定部１５側に湾曲した、断面楕円形の棒体からなる可動部を採用することができる。
【００５８】
さらに、可動部１６に図１及び図２に示した構成を適用し、接続部１７を除く可動部１６の一部が、鎌刃１４２の動作面と特定の角度で交差する軸周りに回転可能である構成を採用することもできる。この構成によれば、握り部の握り方向を、動作面と特定の角度で交差する軸周りの任意の方向で固定することが可能になる。
【００５９】
以上説明したように、本発明の手道具によれば、握り部の握り方向を適宜調整することができる。そのため、どのような作業を実施する場合でも、柄の握り易さを損なうことがない。
【００６０】
なお、図１、図２、図７、図８及び図９で示した例では、鎌刃と柄との間の角度が固定された鎌を例示したが、例えば、鎌刃を柄の先端に設けた回転軸周りに回転可能な構成とし、非使用時に鎌刃を柄と平行な状態として柄に設けた鎌刃収容部に鎌刃を収納する鎌に適用することも可能である。このような鎌刃の収納構造は公知であるためここでの詳細な説明は省略する。
【００６１】
なお、上述した各実施形態は本発明の技術的範囲を制限するものではなく、既に記載したもの以外でも、本発明の範囲内で種々の変形や応用が可能である。例えば、上記実施形態では、手道具の一例として鎌を示したが、鎌のように、柄を手前に引く動作を伴って使用する手道具に限らず、任意の手道具に本発明を適用可能である。
【００６２】
また、上記実施形態では、使用者が片手で使用する手道具に適用した事例について説明したが、本発明は、使用者が両手で使用する大鎌等の手道具に適用することもできる。この場合、可動部は１カ所に限らず、複数箇所に可動部を設けることもできる。
【００６３】
さらに、上記では握り部を楕円柱状の棒体としたが、これに限らず、棒状の柄に既定の握り方向を有する状態で設けられる公知の任意の握り部を採用することができる。例えば、指の配置に応じた凹凸を設けた握り部や、指を掛けるための突出部を設けた握り部や、後端側に使用者の手の小指部分全体を支受するため突出部を設けた握り部を採用することもできる。
【産業上の利用可能性】
【００６４】
本発明によれば、柄をどのような方向に移動させる作業を実施する場合でも、握り部の握り易さを損なうことがなく、手道具として有用である。
【符号の説明】
【００６５】
１  柄
２  固定部
３  可動部
３１  握り部
４  手回しネジ（接続部）
５  鎌刃部（道具部）
５１  基端部
５２  鎌刃
６  柄（可動部）
６１  握り部
７  鎌刃部（道具部）
７１  軸部（固定部）
７２  鎌刃
８  接続部
９  柄（可動部）
９１  握り部
１１  鎌刃部（道具部）
１１１  軸部（固定部）
１１２  鎌刃
１２  接続部
１３  柄
１４  鎌刃部（道具部）
１４１  基端部
１４２  鎌刃
１５  固定部
１６  可動部
１６１  握り部
１７  接続部
１０、２０、３０、４０  鎌（手道具）
【図１】
2015208839.tif 000003
【図２】
2015208839.tif 000004
【図３】
2015208839.tif 000005
【図４】
2015208839.tif 000006
【図５】
2015208839.tif 000007
【図６】
2015208839.tif 000008
【図７】
2015208839.tif 000009
【図８】
2015208839.tif 000010
【図９】
2015208839.tif 000011